(57)【要約】  二芯平行電線は、平行に配置された二本の導体と、二本の導体の周囲に押し出し被覆により形成された絶縁層と、絶縁層の周囲に縦添えで巻き付けられたシールドテープと、シールドテープの内側に配置されたドレイン線と、シールドテープを覆うように形成された外被と、を備える。絶縁層の断面は、短軸の長さの１．７倍以上２．２倍以下を長軸の長さとする長円形状に形成されている。絶縁層は、長円形状における外形線と長軸の垂直二等分線との交点を含む部分に、溝を有する。溝は、ドレイン線の外径または厚みの０．５倍より大きく０．９倍以下の深さに形成されている。ドレイン線は、その一部が、絶縁層よりもシールドテープ側に出るように溝に保持されている。
2019131500.tif 000002
【特許請求の範囲】
【請求項１】
平行に配置された二本の導体と、
前記二本の導体の周囲に押し出し被覆により形成された絶縁層と、
前記絶縁層の周囲に縦添えで巻き付けられたシールドテープと、
前記シールドテープの内側に配置されたドレイン線と、
前記シールドテープを覆うように形成された外被と、
を備えた二芯平行電線であって、
前記絶縁層の前記二芯平行電線の長さ方向に垂直な断面は、短軸の長さの１．７倍以上２．２倍以下を長軸の長さとする長円形状であり、前記長円形状における外形線と長軸の垂直二等分線との交点を含む部分に溝を有し、
前記溝は、前記ドレイン線の外径または厚みの０．５倍より大きく０．９倍以下の深さに形成され、
前記ドレイン線は、その一部が、前記絶縁層よりも前記シールドテープ側に出るように前記溝に保持されている、二芯平行電線。
【請求項２】
前記断面において、前記絶縁層は、前記二本の導体が並ぶ方向を左右方向とし、前記左右方向に対する垂直方向を上下方向とするとき、前記二本の導体の上下に左右方向に延びる平坦部を有し、前記二本の導体の左右に半円周部を有し、
前記シールドテープは、前記シールドテープの巻き付け開始位置と巻き付け終了位置との間に、前記シールドテープが重なる重なり部を有し、
前記重なり部は、前記平坦部のいずれか一方に配置され、
前記溝は、前記重なり部が配置されていない平坦部に形成されている、請求項１に記載の二芯平行電線。
【請求項３】
前記重なり部は、前記左右方向の長さが、前記二本の導体の中心同士の間隔の０．７倍以上１．３倍以下の長さに形成されている、請求項２に記載の二芯平行電線。
【請求項４】
前記絶縁層は、前記長円形状において、前記二本の導体の少なくとも一方の上及び下に位置する前記絶縁層の厚さの最小値／最大値が、長さ５ｍの範囲において０．８５以上１．０以下となるように形成されている、請求項１から請求項３のいずれか一項に記載の二芯平行電線。
【発明の詳細な説明】
【技術分野】
【０００１】
本開示は、二芯平行電線に関する。【０００２】
本出願は、２０１７年１２月２７日出願の日本出願２０１７−２５１７２９号に基づく優先権を主張し、前記日本出願に記載された全ての記載内容を援用するものである。
【背景技術】
【０００３】
特許文献１には、二本の導体と、二本の導体を覆うように形成された絶縁体と、ドレイン線と、絶縁体及びドレイン線を覆うように形成された遮蔽層と、遮蔽層を覆うように形成された保護シースと、を備えたケーブルが開示されている（特許文献１参照）。
【先行技術文献】
【特許文献】
【０００４】
【特許文献１】実開昭５７−４１１６号公報
【発明の概要】
【０００５】
本開示の一態様に係る二芯平行電線は、
平行に配置された二本の導体と、
前記二本の導体の周囲に押し出し被覆により形成された絶縁層と、
前記絶縁層の周囲に縦添えで巻き付けられたシールドテープと、
前記シールドテープの内側に配置されたドレイン線と、
前記シールドテープを覆うように形成された外被と、
を備えた二芯平行電線であって、
前記絶縁層のケーブルの長さ方向に垂直な断面は、短軸の長さの１．７倍以上２．２倍以下を長軸の長さとする長円形状であり、前記長円形状における外形線と長軸（図に符号で示す）の垂直二等分線との交点を含む部分に溝を有し、
前記溝は、前記ドレイン線の外径または厚みの０．５倍より大きく０．９倍以下の深さに形成され、
前記ドレイン線は、その一部が、前記絶縁層よりも前記シールドテープ側に出るように前記溝に保持されている。
【図面の簡単な説明】
【０００６】
【図１】本開示の一実施形態に係る二芯平行電線の構成を示す断面図である。
【図２】実施例の電気的特性（Ｓｃｄ２１−Ｓｄｄ２１）を説明するための図である。
【図３】比較例の電気的特性（Ｓｃｄ２１−Ｓｄｄ２１）を説明するための図である。
【発明を実施するための形態】
【０００７】
［本開示が解決しようとする課題］
二芯平行電線において、ケーブルの電気的特性を高めるために改善の余地があった。
【０００８】
本開示は、電気的特性を向上可能な二芯平行電線を提供することを目的とする。
【０００９】
［本開示の効果］
本開示によれば、電気的特性を向上可能な二芯平行電線を提供することができる。
【００１０】
［本開示の実施形態の説明］
＜本開示の実施形態の概要＞
最初に本開示の実施形態を列記して説明する。
【００１１】
本開示の一態様に係る二芯平行電線は、
平行に配置された二本の導体と、
前記二本の導体の周囲に押し出し被覆により形成された絶縁層と、
前記絶縁層の周囲に縦添えで巻き付けられたシールドテープと、
前記シールドテープの内側に配置されたドレイン線と、
前記シールドテープを覆うように形成された外被と、
を備えた二芯平行電線であって、
前記絶縁層のケーブルの長さ方向に垂直な断面は、短軸の長さの１．７倍以上２．２倍以下を長軸の長さとする長円形状であり、前記長円形状における外形線と長軸の垂直二等分線との交点を含む部分に溝を有し、
前記溝は、前記ドレイン線の外径または厚みの０．５倍より大きく０．９倍以下の深さに形成され、
前記ドレイン線は、その一部が、前記絶縁層よりも前記シールドテープ側に出るように前記溝に保持されている。
＜本開示の実施形態の詳細＞
本開示の実施形態に係る二芯平行電線の具体例を、以下に図面を参照しつつ説明する。
【００１２】
なお、本開示はこれらの例示に限定されるものではなく、特許請求の範囲によって示され、特許請求の範囲と均等の意味および範囲内でのすべての変更が含まれることが意図される。
（第一実施形態）
図１は、本開示の一実施形態に係る二芯平行電線１の構成を示す断面図である。二芯平行電線１は、例えば、デジタルデータを高速で送受信する通信機器などに用いられる電線として用いることができる。
【００１３】
図１に示すように、二芯平行電線１は、二本の導体２と、二本の導体２の周囲に形成された絶縁層３と、を備えている。また、二芯平行電線１は、絶縁層３の周囲に巻き付けられたシールドテープ４と、シールドテープ４の内側に配置されたドレイン線５と、シールドテープ４を覆うように形成された外被６と、を備えている。
【００１４】
二本の導体２は、互いに略同一の構造を有し、平行に配置されている。図１に示すＬ１は、二本の導体２の中心同士の間隔である。
【００１５】
導体２は、例えば銅やアルミニウム、またはそれらを主として含む合金などの導体、錫や銀などでメッキされた導体等で形成された単線または撚り線である。導体２に用いられる上記導体の寸法は、ＡＷＧ（Ａｍｅｒｉｃａｎ  Ｗｉｒｅ  Ｇａｕｇｅ）の規格において、例えばＡＷＧ２６〜ＡＷＧ３６である。導体２の断面積は、０．０１ｍｍ２〜０．１６ｍｍ２である。
【００１６】
絶縁層３は、例えばポリオレフィンなどの誘電率が低い熱可塑性の樹脂で構成されている。絶縁層３は、例えば押出機から供給されて押し出し成形され、導体２に一括被覆されることにより形成されている。絶縁層３は、二芯平行電線１の長さ方向に垂直な断面が、長円形状で形成されている。
【００１７】
なお、本明細書において「断面」とは、二芯平行電線の長手方向から見た断面を意味する。また、「長円形状」とは、楕円形状、円形を扁平にした小判型形状、および二本の平行線を円弧状の曲線でつないだ形状等を含む形状を意味する。
【００１８】
絶縁層３は、絶縁層３の断面において二本の導体２が並ぶ方向を左右方向とし、この左右方向に対する垂直方向を上下方向とするとき、二本の導体２の上下に、左右方向に延びる平坦部３１、３２を有している。また、絶縁層３は、二本の導体の左右に、半円周部３３、３４を有している。
【００１９】
絶縁層３の断面は、短軸Ｌ２の長さの１．７倍以上２．２倍以下を長軸Ｌ３の長さとする長円形状で形成されている（短軸と長軸を図に符号で示す）。より好ましくは、絶縁層３の断面は、短軸Ｌ２の２倍を長軸Ｌ３の長さとする長円形状で形成されている。本例では、絶縁層３の断面の長円形状は、例えば、ＡＷＧ２６の設計において長軸３．１４ｍｍ×短軸１．５７ｍｍ程度、ＡＷＧ２８の設計において長軸２．２４ｍｍ×短軸１．１２ｍｍ程度、ＡＷＧ３０の設計において長軸１．８０ｍｍ×短軸０．９０ｍｍ程度、ＡＷＧ３６の設計において長軸０．７８ｍｍ×短軸０．３９ｍｍ程度である。
【００２０】
ここで、絶縁層３の厚さ方向（図１の上下方向）の偏肉率について説明する。厚さ方向の偏肉率とは、導体２の上下それぞれにおける絶縁層３の厚さＴ１，Ｔ２について、厚さの最小値／厚さの最大値の比率である。偏肉率は、二芯平行電線１の長さ方向において、絶縁層３の厚さの最小値／最大値が１．０に近い値であることが好ましい。絶縁層３の厚さ方向の偏肉率が１．０の場合、絶縁層３の厚さＴ１と厚さＴ２とは同一である。絶縁層３の厚さＴ１と厚さＴ２とが同一の場合、二芯平行電線１は良好な電気的特性を有する。偏肉率は、絶縁樹脂の押し出し条件を調整することにより、１．０に近づけることができる。偏肉率の調整は、例えば絶縁樹脂の押し出し時の樹脂圧、スクリューの速度、導体２の線速、樹脂流路の形状等を調整することにより、行うことができる。
【００２１】
二芯平行電線１の電気的特性は、絶縁層３の厚さ方向の偏肉率が小さいと悪化する。良好な電気的特性の観点から許容されうる絶縁層３の偏肉率は０．８５以上である。二芯平行電線１の長さ方向において、絶縁層３の厚さは変動し得る。二芯平行電線１の電気的特性を安定させるためには、長さ方向における絶縁層３の厚みの変動は小さいことが望ましい。この絶縁層３の厚さの変動を考慮した好ましい偏肉率は、二芯平行電線１の長さ５ｍの範囲において、０．８５以上１．０以下である。本例では、二本の導体２の少なくとも一方の上方向及び下方向に位置する絶縁層３の厚さの最小値／最大値が、二芯平行電線１の長さ５ｍの範囲において、０．８５以上１．０以下となるように、絶縁層３が形成されている。
【００２２】
絶縁層３は、長円形状における外形線と長軸Ｌ３の垂直二等分線との交点を含む部分に、溝３５を有している。平坦部３１、３２の両方に溝３５が形成されていてもよいが、電気的特性をより向上させるためには、平坦部３１，３２のうちのいずれか一方に溝３５を形成することが好ましい。本例では、溝３５は、図１に示すように、平坦部３１に形成されている。
【００２３】
溝３５は、ドレイン線５の外形に合わせた形状に形成されている。ドレイン線５の断面形状が円形である場合、溝３５は、その底部がドレイン線５に沿う円弧状に形成される。ドレイン線５の断面が円形以外、例えば矩形の場合、溝３５の底部は矩形状に形成される。
【００２４】
また、溝３５は、ドレイン線５の外径または厚みの０．５倍より大きく０．９倍以下の深さに形成されている。溝３５の深さがドレイン線５の外径または厚みの０．５倍よりも浅い場合には、ドレイン線５が溝３５から外れて蛇行してしまうおそれがある。溝３５の深さがドレイン線５の外径または厚みの０．９倍より大きいと、ドレイン線５は、溝３５内に入り込み過ぎてシールドテープ４に対して接触状態が不安定になってしまい、二芯平行電線１の電気的特性が安定しないおそれがある。
【００２５】
溝３５の深さは、より好ましくは、ドレイン線５の外径の０．６倍以上０．８倍以下である。更に好ましくは、溝３５の深さは、ドレイン線５の０．７倍である。本例では、溝３５は、その底部が断面円形のドレイン線５に沿う円弧状に形成され、最も深い箇所が０．１８ｍｍ程度の深さ（ドレイン線の外径の０．７２倍）となるように形成されている。このような深さで溝３５を形成することにより、ドレイン線５は、絶縁層３よりもシールドテープ４側に出るように溝３５に保持され、確実にシールドテープ４と接触する。
【００２６】
シールドテープ４は、例えばアルミニウムなどの金属層４１をポリエステルなどの樹脂テープに貼り付けまたは蒸着した金属層付樹脂テープで形成されている。シールドテープ４は、絶縁層３の周囲及びドレイン線５の外側に縦添えで巻き付けられている。シールドテープ４は、シールドテープ４の巻き付け開始位置４２から巻き付け終了位置４３までの領域を重ねて覆う重なり部４４を有している。重なり部４４は、絶縁層３の平坦部３１，３２のいずれか一方に配置されている。本例では、図１に示すように、重なり部４４は、平坦部３２に配置されている。
【００２７】
重なり部４４は、左右方向（図１における左右方向）の長さが、二本の導体２の中心同士の間隔Ｌ1の０．７倍から１．３倍の長さに形成されている。このように構成することにより、二芯平行電線１の電気的特性が安定しやすくなる。
【００２８】
シールドテープ４は、金属層４１が絶縁層３およびドレイン線５側を向くように巻き付けられている。本例では、シールドテープ４は、縦添えで絶縁層３及びドレイン線５を覆うように巻き付けられている。シールドテープの巻き付け開始位置および巻き付け終了位置が二芯平行電線の長さ方向に平行になるように巻き付けられている。
【００２９】
シールドテープ４は、重なり部４４に接着剤を設けて、この接着剤で重なり部４４におけるシールドテープ４同士を固着させて、シールドテープ４が巻かれた形状を維持しても良い。
【００３０】
ドレイン線５は、例えば、銅やアルミニウム等の導体線である。ドレイン線５は、シールドテープ４の内側であって、二芯平行電線１の長尺方向に平行な方向（図１の紙面奥行き方向）に縦添えされ、絶縁層３の溝３５内に保持されている。ドレイン線５の断面形状は、円形でも良く、矩形でもよい。
【００３１】
本例では、ドレイン線５は、焼きなまし（アニール）処理された錫めっき銅線で、断面が円形で形成されている。ドレイン線５の直径は、例えば０．１８〜０．３ｍｍである。本例では、ＡＷＧ２６の設計において、溝３５の深さは上記した０．１８ｍｍ程度であり、ドレイン線５の直径は０．２５ｍｍ程度であるので、ドレイン線５は、ドレイン線５の一部（本例でＡＷＧ２６の設計では０．０７ｍｍ程度）が絶縁層３の平坦部３１よりもシールドテープ４側に出るように、溝３５に保持されている。
【００３２】
このように構成されることにより、シールドテープ４の金属層４１がドレイン線５に確実に接触するので、二芯平行電線１の電気的特性が安定しやすくなる。また、ドレイン線５が溝３５内に保持されるので、ドレイン線５が絶縁層３上で蛇行することが防止される。これにより、二芯平行電線１の電気的特性が向上する。
【００３３】
外被６は、例えばポリエステルなどの樹脂テープで形成されている。外被６は、シールドテープ４の外周を覆うように、例えば螺旋状（横巻き）に巻かれている。外被６を構成する樹脂は、耐熱性を高めるために架橋されても良い。本例では、外被６は、ポリエステルテープを同方向に二重に横巻きで巻き付けて形成されている。なお、樹脂テープを二重に巻き付けて外被６を形成する場合、巻き付け方向は同方向に限らず、逆方向でも良い。
【００３４】
ところで、例えば高速通信に用いられる二芯平行電線は、電気的特性をより良好にすることが求められている。そのため、ドレイン線の全体を絶縁体に埋没させる従来構成のケーブルでは、ドレイン線が絶縁体に完全に入り込んでドレイン線とシールドテープに隙間ができて電気的特性が十分でない場合があった。
【００３５】
これに対して、本開示の一態様に係る二芯平行電線１は、以上説明したように、ドレイン線５の一部が絶縁層３よりもシールドテープ４側に出るように、溝３５に保持されている。このため、シールドテープ４側に出ているドレイン線５の一部は、絶縁層３の周囲に巻き付けられるシールドテープ４と、確実に接触する。すなわち、ドレイン線５が溝３５に入り込んでシールドテープ４が浮いてしまうことがなく、ドレイン線５が溝３５から外れて蛇行してしまうことがない。これにより、二芯平行電線１の電気的特定が安定するので、二芯平行電線１の電気的特性を向上させることができる。
【００３６】
また、本開示の一態様に係る二芯平行電線１は、溝３５が、重なり部４４が配置されていない平坦部３１に配置されているので、縦添えされたシールドテープ４の巻き付け開始位置４２及び巻き付け終了位置４３は平坦部３２に配置される。このように配置することにより、重なり部４４におけるシールドテープ４は平坦部３２に重ねられるので、シールドテープ４の縦添えが開きにくくなる。これにより、二芯平行電線１の電気的特性が安定しやすくなる。
【００３７】
なお、溝３５は、本例では平坦部３１のみに形成されているが、二芯平行電線の特性インピーダンスを調整し易くする観点および絶縁層３を製造しやすくする観点からは、平坦部３１，３２にそれぞれ溝３５を形成してもよい。平坦部３１，３２にそれぞれ溝３５が形成された場合、ドレイン線５が両溝または片溝に配置される。ドレイン線がいずれか一方の溝３５に配置される場合、ドレイン線５が配置されない溝３５は、しわが寄らないように緊張させた状態のシールドテープ４で覆われる。このように構成することにより、シールドテープ４が溝３５の中に入り込んで電気的特性が悪くなることを防ぐことができる。
【００３８】
次に、本開示の実施例について説明する。下記の実施例、比較例の二芯平行電線を作成し、それぞれの二芯平行電線について電気的特性（Ｓｃｄ２１−Ｓｄｄ２１）試験を行った。Ｓｃｄ２１−Ｓｄｄ２１とは、差動モード出力に対する相対的なコモンモード出力である。
（実施例）
実施例の二芯平行電線１の構成は、図１に示した第一実施形態の構成であり、下記のように設定した。
【００３９】
ＡＷＧ２６の銅線（直径０．４１ｍｍの導体２）を二本平行に並べ、その周囲をポリオレフィン（絶縁層３）で押し出し成形より一体被覆した。絶縁層３は、長軸Ｌ３２．７４ｍｍ×短軸Ｌ２１．３７ｍｍの長円形状の断面となるように形成した。絶縁層３の上方向の平坦部３１には、その底部が円弧状で最も深い箇所の深さが０．１８ｍｍの溝３５を形成した。
【００４０】
焼きなまし（アニール）処理された錫めっき銅線を、断面が円形状となるように形成して、直径０．２５ｍｍのドレイン線５を形成した。１本のドレイン線５を、絶縁層３の溝３５内に配置した。ドレイン線５は、ドレイン線５の一部（０．０７ｍｍ）が絶縁層３の平坦部３１よりもシールドテープ４側に出るように、溝３５に保持させた。
【００４１】
真空蒸着法を用いてアルミニウムをポリエステル樹脂テープに蒸着して、アルミニウム蒸着ポリエステル樹脂テープ（シールドテープ４）を形成した。絶縁層３及びドレイン線５の外周面上に、シールドテープ４のアルミニウムの面が内側に配置されるようにして、シールドテープ４を縦添えで巻き付けた。シールドテープ４の外側に、二枚のポリエステルテープを螺旋状に巻きつけて、外被６とした。
【００４２】
上記構成の実施例の二芯平行電線１を、長さ５ｍとして、０ＧＨｚから１９ＧＨｚの高周波信号を伝送し、電気的特性（Ｓｃｄ２１−Ｓｄｄ２１）を求めた。
（比較例）
比較例においては、溝３５を深さ０．２５ｍｍで形成し、ドレイン線５の直径を０．２５ｍｍで形成して、ドレイン線５の全体が絶縁層３に埋没する構成とした。その他の構成は実施例の構成と同様の構成とした。
（試験結果）
以上の実施例および比較例について、それぞれ１０例の電気的特性（Ｓｃｄ２１−Ｓｄｄ２１）の結果を比較した（図２および図３参照）。
【００４３】
図２と図３を比較して、電気的特性（Ｓｃｄ２１−Ｓｄｄ２１）は、比較例では図３に示す通り最大値が−１ｄＢであるが、実施例では図２に示す通り−１５ｄＢであり、実施例が良好である。各例のバラツキも図２に示す実施例が良好である。
【００４４】
以上の結果から、ドレイン線５の全体を絶縁層３に埋没させた構成の二芯平行電線よりも、ドレイン線５の一部が絶縁層３よりもシールドテープ４側に出るように溝３５にドレイン線５を保持した二芯平行電線１の方が、良好な電気的特性（Ｓｃｄ２１−Ｓｄｄ２１）であることが確認できた。
【００４５】
以上、本開示を詳細にまた特定の実施態様を参照して説明したが、本開示の精神と範囲を逸脱することなく様々な変更や修正を加えることができることは当業者にとって明らかである。また、上記説明した構成部材の数、位置、形状等は上記実施の形態に限定されず、本開示を実施する上で好適な数、位置、形状等に変更することができる。
【００４６】
＜本開示の好ましい態様＞
以下、本開示の好ましい態様について付記する。
［付記１］
本開示の一態様に係る二芯平行電線は、
平行に配置された二本の導体と、
前記二本の導体の周囲に押し出し被覆により形成された絶縁層と、
前記絶縁層の周囲に縦添えで巻き付けられたシールドテープと、
前記シールドテープの内側に配置されたドレイン線と、
前記シールドテープを覆うように形成された外被と、
を備えた二芯平行電線であって、
前記絶縁層のケーブルの長さ方向に垂直な断面は、短軸の長さの１．７倍以上２．２倍以下を長軸の長さとする長円形状であり、前記長円形状における外形線と長軸の垂直二等分線との交点を含む部分に溝を有し、
前記溝は、前記ドレイン線の外径または厚みの０．５倍より大きく０．９倍以下の深さに形成され、
前記ドレイン線は、その一部が、前記絶縁層よりも前記シールドテープ側に出るように前記溝に保持されている。
【００４７】
上記構成の二芯平行電線によれば、溝はドレイン線の外径または厚みの０．５倍より大きく０．９倍以下の深さに形成されるとともに、ドレイン線はその一部が絶縁層よりもシールドテープ側に出るように溝に保持されている。このため、ドレイン線はシールドテープに確実に接触するとともに、ドレイン線は蛇行せずに溝に保持される。これにより、二芯平行電線の電気的特性が安定しやすくなり、電気的特性を向上させることができる。
［付記２］
また、上記の付記１の二芯平行電線において、
前記絶縁層は、前記断面において、前記二本の導体が並ぶ方向を左右方向とし、前記左右方向に対する垂直方向を上下方向とするとき、前記二本の導体の上下に左右方向に延びる平坦部を有し、前記二本の導体の左右に半円周部を有し、
前記シールドテープは、前記シールドテープの巻き付け開始位置と巻き付け終了位置との間に、前記シールドテープが重なる重なり部を有し、
前記重なり部は、前記平坦部のいずれか一方に配置され、
前記ドレイン線は、前記重なり部が配置されていない平坦部に一本配置されていてもよい。
【００４８】
この構成によれば、シールドテープの重なり部は平坦部のいずれか一方に配置されているとともに、ドレイン線は重なり部が配置されていない平坦部に配置されている。このため、縦添えのシールドテープが開きにくくなると共に、二芯平行電線の電気的特性が安定しやすくなる。これにより、二芯平行電線の電気的特性を向上させることができる。
［付記３］
また、上記の付記１の二芯平行電線において、
前記重なり部は、前記左右方向の長さが、前記二本の導体の中心同士の間隔の０．７倍以上１．３倍以下の長さに形成されていてもよい。
【００４９】
この構成によれば、二芯平行電線の電気的特性が安定しやすくなる。これにより、二芯平行電線の電気的特性を向上させることができる。
［付記４］
また、上記の付記１〜付記３のいずれかに記載の二芯平行電線において、
前記絶縁層は、前記長円形状において、前記二本の少なくともいずれかの導体の上方向及び下方向に位置する前記絶縁層の厚さの最小値／最大値が、長さ５ｍの範囲において０．８５以上１．０以下となるように形成されていてもよい。
【００５０】
この構成によれば、各導体の厚さ方向の位置ずれが少ないため、二芯平行電線の電気的特性をさらに向上させることができる。
【符号の説明】
【００５１】
１  二芯平行電線
２  導体
３  絶縁層
４  シールドテープ
５  ドレイン線
６  外被
３１、３２  平坦部
３３、３４  半円周部
３５  溝
４１  金属層
４２  巻き付け開始位置
４３  巻き付け終了位置
４４  重なり部
Ｌ１  （導体２の中心同士の）間隔
Ｌ２  短軸
Ｌ３  長軸
【図１】
2019131500.tif 000003
【図２】
2019131500.tif 000004
【図３】
2019131500.tif 000005
【国際調査報告】
2019131500.tif 000006
2019131500.tif 000007
2019131500.tif 000008
2019131500.tif 000009